(57)【要約】【課題】施工作業の作業性の向上を図る。【解決手段】照明器具１は、光源ユニット３と、光源ユニット３を支持する器具本体２とを有している。器具本体２は、造営材に固定される板状の底部２００と、底部２００から前方へ突出する一対の側部２０１とを有している。一対の側部２０１のうちの少なくとも一つの側部２０１は、電線（第１電源線５２）を通すことが可能な挿通部２２を有している。【選択図】        図１
2019153473.tif 000002
【特許請求の範囲】
【請求項１】
照明装置と、
前記照明装置を支持する器具本体と
を有し、
前記器具本体は、
造営材に固定される板状の底部と、
前記底部から前方へ突出する一対の側部と
を有し、
前記一対の側部のうちの少なくとも一つの側部は、電線を通すことが可能な挿通部を有している、
照明器具。
【請求項２】
前記挿通部は、前記側部を前記側部の厚み方向に貫通する貫通孔である、
請求項１記載の照明器具。
【請求項３】
前記側部における前記挿通部に取り付けられて前記挿通部の縁を覆う部材を、更に有している、
請求項１又は２記載の照明器具。
【請求項４】
前記側部における前記挿通部の縁が、前記挿通部に挿通されている前記電線に近付く向きに突き出す曲面である、
請求項１又は２記載の照明器具。
【請求項５】
前記一対の側部の両方が前記挿通部を有している、
請求項１〜４のいずれか１項に記載の照明器具。
【請求項６】
前記照明装置は、
光源と、
前記光源を点灯させる点灯装置と、
前記光源を収容し、前記光源から放射される光を前記光源の前方へ出射する第１収容部と、
前記光源の後方に配置されて前記点灯装置を収容する第２収容部と
を備え、
前記第１収容部の端部が、前記光源の前方から見て前記第２収容部よりも外側に突出している、
請求項１〜５のいずれか１項に記載の照明器具。
【請求項７】
前記側部は、前記光源の前方から見て前記第２収容部よりも外側の位置に前記挿通部を有している、
請求項６記載の照明器具。
【請求項８】
請求項１〜７のいずれか１項の照明器具である第１の照明器具と、
照明装置及び前記照明装置を支持する器具本体を有する第２の照明器具とを連結して造営材に取り付ける施工方法であって、
前記第１の照明器具の器具本体の底部を造営材に固定する工程と、
前記第２の照明器具の器具本体を前記第１の照明器具の器具本体に連結させた状態で前記造営材に固定する工程と、
前記第２の照明器具に給電するための電線を、前記第１の照明器具の前記挿通部に通す工程と、
前記第１の照明器具の照明装置を前記第１の照明器具の器具本体に支持させる工程と、
前記第２の照明器具の照明装置を前記第２の照明器具の器具本体に支持させる工程と、
を含む、
照明器具の施工方法。
【発明の詳細な説明】
【技術分野】
【０００１】
本発明は、照明器具及びその施工方法に関し、より詳細には、隣り合って並ぶように施工される照明器具及びその施工方法に関する。
【背景技術】
【０００２】
従来例として、特許文献１に記載されている照明器具を例示する。特許文献１記載の照明器具は、筐体と、パネルと、複数のＬＥＤと、基板とからなるＬＥＤモジュールを備えている。筐体は、例えば樹脂成形により、長方形状に形成されている底部と、底部の周囲から前方に延設されている４つの側部とを一体に備え、基板を内部に収容している。一方の側部には、電気コードを介してＡＣコンセントが取り付けられている。ＡＣコンセントは、例えば１００Ｖ又は２００Ｖ等の交流電圧を供給している交流電源に接続される。他方の側部には、別の電気コードを介して接続器が取り付けられている。接続器は、他の照明器具のＡＣコンセントと接続される。特許文献１記載の照明器具は、例えばビルの壁面等において直線状に配置され、複数のＬＥＤを直線状に発光させることにより、演出照明に用いられている。
【先行技術文献】
【特許文献】
【０００３】
【特許文献１】特開２００６−１９６６８４号公報
【発明の概要】
【発明が解決しようとする課題】
【０００４】
ところで、特許文献１記載の照明器具が単独で設置されることはなく、ほとんどの場合に複数の照明器具が直線状に並べて設置される。そして、隣り合う照明器具同士は、各々電源コードとＡＣコンセント及び接続器によって電気的に接続される。
【０００５】
しかしながら、特許文献１記載の照明器具では、電源コードやＡＣコンセント及び接続器が前方から見えてしまう。そのため、電源コードやＡＣコンセント及び接続器を覆い隠すための部材等が別途必要であるから、施工作業が面倒になる。
【０００６】
本発明の目的は、施工作業の作業性の向上を図ることができる照明器具及びその施工方法を提供することである。
【課題を解決するための手段】
【０００７】
本発明の一態様に係る照明器具は、照明装置と、前記照明装置を支持する器具本体とを有している。前記器具本体は、造営材に固定される板状の底部と、前記底部から前方へ突出する一対の側部とを有している。前記一対の側部のうちの少なくとも一つの側部は、電線を通すことが可能な挿通部を有している。
【０００８】
本発明の一態様に係る照明器具の施工方法は、前記照明器具である第１の照明器具と、照明装置及び前記照明装置を支持する器具本体を有する第２の照明器具とを連結して造営材に取り付ける施工方法である。前記施工方法は、前記第１の照明器具の器具本体の底部を造営材に固定する工程と、前記第２の照明器具の器具本体を前記第１の照明器具の器具本体に連結させた状態で前記造営材に固定する工程とを含む。前記施工方法は、前記第２の照明器具に給電するための電線を、前記第１の照明器具の前記挿通部に通す工程と、前記第１の照明器具の照明装置を前記第１の照明器具の器具本体に支持させる工程とを含む。前記施工方法は、前記第２の照明器具の照明装置を前記第２の照明器具の器具本体に支持させる工程を含む。
【発明の効果】
【０００９】
本発明の照明器具及びその施工方法は、施工作業の作業性の向上を図ることができるという効果がある。
【図面の簡単な説明】
【００１０】
【図１】図１は、本発明の一実施形態に係る照明器具の分解斜視図である。
【図２】図２は、同上の照明器具の正面図である。
【図３】図３は、同上の照明器具の下面図である。
【図４】図４は、同上の照明器具の背面図である。
【図５】図５は、同上の照明器具の左側面図である。
【図６】図６は、同上の照明器具の右側面図である。
【図７】図７は、同上の照明器具の縦断面図である。
【図８】図８は、同上の照明器具の横断面図である。
【図９】図９は、本発明の一実施形態に係る照明装置（光源ユニット）の斜視図である。
【図１０】図１０は、同上の光源ユニットの分解斜視図である。
【図１１】図１１は、同上の照明器具における器具本体の正面図である。
【図１２】図１２は、同上の器具本体の左側面図である。
【図１３】図１３は、同上の照明器具が他の照明器具と一列に並べられた状態の斜視図である。
【図１４】図１４は、同上の照明器具が他の照明器具と一列に並べられた状態の一部省略した下面図である。
【図１５】図１５は、同上の照明器具と他の照明器具が連結された状態の一部省略した縦断面図である。
【図１６】図１６Ａは、同上の照明器具の施工方法における第１工程を示す説明図である。図１６Ｂは、同上の照明器具の施工方法における第２工程を示す説明図である。図１６Ｃは、同上の照明器具の施工方法における第３工程を示す説明図である。
【図１７】図１７は、同上の照明器具の施工後の一部省略した側面図である。
【図１８】図１８は、同上の照明器具の変形例を示し、施工途中の一部省略した斜視図である。
【発明を実施するための形態】
【００１１】
以下、実施形態の照明器具及びその施工方法について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１２】
本実施形態の照明器具１は、図１〜図６に示すように、照明装置に相当する光源ユニット３と、光源ユニット３を支持する器具本体２とを有している。ただし、以下の説明においては、照明器具１が造営材である壁に設置される場合を想定している。そのため、特に断りのない限り、図１に矢印で示す前後、左右、上下の各向きを照明器具１並びに光源ユニット３、器具本体２の前後、左右、上下の各向きと規定する。なお、照明器具１が設置される造営材は壁に限定されず、天井や床などの壁以外の造営材に照明器具１が設置される場合もある。
【００１３】
光源ユニット３は、図７〜図１０に示すように、光源に相当する２つのＬＥＤモジュール４と、点灯装置５と、筐体６と、カバー７と、２つのエンド部材８とを備えている。
【００１４】
２つのＬＥＤモジュール４はそれぞれ、複数のＬＥＤ（Light Emitting Diode）４０と、複数のＬＥＤ４０を前面に実装したＬＥＤ基板４１と、ＬＥＤ基板４１の前面に実装された複数のレセプタクルコネクタ４２と、複数の電線４３とを有している。
【００１５】
ＬＥＤ基板４１は、例えば、ガラス布基材エポキシ樹脂基板などの樹脂製の絶縁基板により、左右方向を長手方向とする長尺の矩形平板状に形成されている。ただし、２つのＬＥＤ基板４１は、長手方向の寸法が異なっている。したがって、以下の説明においては、ＬＥＤ基板４１の長手方向の寸法が長い方のＬＥＤモジュール４を第１のＬＥＤモジュール４Ａと呼び、ＬＥＤ基板４１の長手方向の寸法が短い方のＬＥＤモジュール４を第２のＬＥＤモジュール４Ｂと呼ぶ場合がある。
【００１６】
複数のＬＥＤ４０の各々は、例えば、照明用白色ＬＥＤである。複数のＬＥＤ４０は、ＬＥＤ基板４１の短手方向（上下方向）の中央においてＬＥＤ基板４１の長手方向（左右方向）に沿って等間隔に１列に並ぶように実装されている（図１０参照）。
【００１７】
第１のＬＥＤモジュール４ＡのＬＥＤ基板４１の前面には、合計４つのレセプタクルコネクタ４２（４２Ａ、４２Ｂ、４２Ｃ、４２Ｄ）が実装されている。４つのレセプタクルコネクタ４２Ａ〜４２Ｄのうちの２つのレセプタクルコネクタ４２Ａ、４２Ｂは、第１のＬＥＤモジュール４ＡのＬＥＤ基板４１の右側の端部前面においてＬＥＤ４０の上下両側に振り分けて実装されている。
【００１８】
残り２つのレセプタクルコネクタ４２Ｃ、４２Ｄは、第１のＬＥＤモジュール４ＡのＬＥＤ基板４１の長手方向中央の前面においてＬＥＤ４０の下側に上下方向に並べて実装されている。ただし、２つのレセプタクルコネクタ４２Ｃ、４２Ｄは、左右方向にずらして実装されている（図１０参照）。
【００１９】
第１のＬＥＤモジュール４ＡのＬＥＤ基板４１において、２つのレセプタクルコネクタ４２Ｃ、４２Ｄよりも中央寄り（右寄り）の下端部に３つの電線挿通溝４４（４４Ａ、４４Ｂ、４４Ｃ）が設けられている。
【００２０】
第２のＬＥＤモジュール４ＢのＬＥＤ基板４１の前面には、２つのレセプタクルコネクタ４２（４２Ｅ、４２Ｆ）が実装されている。２つのレセプタクルコネクタ４２Ｅ、４２Ｆは、第２のＬＥＤモジュール４ＢのＬＥＤ基板４１の左側の端部前面においてＬＥＤ４０の上下両側に振り分けて実装されている。
【００２１】
複数（図示例では４本）の電線４３（４３Ａ、４３Ｂ、４３Ｃ、４３Ｄ）のうち１本の電線４３Ａは、第１のＬＥＤモジュール４Ａのレセプタクルコネクタ４２Ａと第２のＬＥＤモジュール４Ｂのレセプタクルコネクタ４２Ｅとを電気的に接続している（図１０参照）。
【００２２】
また、電線４３Ｂは、第１のＬＥＤモジュール４Ａのレセプタクルコネクタ４２Ｂと第２のＬＥＤモジュール４Ｂのレセプタクルコネクタ４２Ｆとを電気的に接続している。つまり、第１のＬＥＤモジュール４Ａの複数のＬＥＤ４０と第２のＬＥＤモジュール４Ｂの複数のＬＥＤ４０とは、２本の電線４３Ａ、４３Ｂと４つのレセプタクルコネクタ４２Ａ、４２Ｂ、４２Ｅ、４２Ｆとによって電気的に接続されている。
【００２３】
残り２本の電線４３Ｃ、４３Ｄのうちの１本の電線４３Ｃは、第１のＬＥＤモジュール４Ａのレセプタクルコネクタ４２Ｃとプラグコネクタ４５とを電気的に接続している。もう１本の電線４３Ｄは、第１のＬＥＤモジュール４Ａのレセプタクルコネクタ４２Ｄとプラグコネクタ４５とを電気的に接続している（図１０参照）。これら２本の電線４３Ｃ、４３Ｄは、左端の電線挿通溝４４Ａに前方から後方に挿通された後、中央の電線挿通溝４４Ｂに後方から前方へ挿通され、さらに、右端の電線挿通溝４４Ｃに前方から後方へ挿通される（図１０参照）。つまり、ＬＥＤ基板４１は、３つの電線挿通溝４４Ａ、４４Ｂ、４４Ｃに挿通させることによって２本の電線４３Ｃ、４３Ｄを張力止めしている。なお、２本の電線４３Ｃ、４３Ｄの先端に設けられているプラグコネクタ４５は、後述する点灯装置５の出力コネクタ５００と電気的に接続される。
【００２４】
点灯装置５は、外部の電源（例えば、商用の電力系統）から供給される交流電力を直流電力に変換する電力変換回路と、外部から受け取る制御信号に応じて電力変換回路を制御する制御回路とを有している。電力変換回路は、例えば、力率改善回路と、降圧チョッパ回路（バックコンバータ）とを有している。制御回路は、例えば、バックコンバータをＰＷＭ（Pulse Width Modulation）制御することによって出力コネクタ５００から出力する直流電流を調整してＬＥＤモジュール４を調光するように構成されている。ただし、電力変換回路及び制御回路の詳細な回路構成の図示及び説明は省略する。
【００２５】
点灯装置５は、回路基板５０を備えている（図１０参照）。回路基板５０は、例えば、矩形平板状に形成されている。回路基板５０には電力変換回路及び制御回路を構成する種々の回路部品５８が実装されている。
【００２６】
回路基板５０の前面における右端に第１端子台５１が実装されている。第１端子台５１は、２極のねじなし締結具を有する端子台である。そして、第１端子台５１の各極に、２本の第１電源線５２のうちの対応する第１電源線５２の１本がそれぞれ電気的に接続されている。なお、２本の第１電源線５２の各導体が第１電源コネクタ５３の２つのコンタクトのうちの対応するコンタクトと電気的に接続されている。本実施形態においては、第１電源線５２と第１電源コネクタ５３が第１配線部に相当する。
【００２７】
回路基板５０の前面における左端に第２端子台５４が実装されている。第２端子台５４は、第１端子台５１と同じ２極のねじなし締結具を有する端子台である。そして、第２端子台５４の各極に、２本の第２電源線５５のうちの対応する第２電源線５５の１本がそれぞれ電気的に接続されている。さらに、２本の第２電源線５５の各導体が第２電源コネクタ５６の２つのコンタクトのうちの対応するコンタクトと電気的に接続されている。なお、第１端子台５１の各極と第２端子台５４の各極とは、回路基板５０の導体によって電気的に接続されている。また、第１電源コネクタ５３であるプラグコネクタは、第２電源コネクタ５６であるレセプタクルコネクタと接続可能に構成されている。本実施形態においては、第２電源線５５と第２電源コネクタ５６が第２配線部に相当する。
【００２８】
さらに、回路基板５０の前面における左端には、１つの出力コネクタ５００と、２つの制御用コネクタ５０１、５０２とが実装されている。出力コネクタ５００は、回路基板５０の導体を介してバックコンバータの出力端子と電気的に接続されている。そして、出力コネクタ５００は、ＬＥＤモジュール４（４Ａ）の２本の電線４３Ｃ、４３Ｄの先端に設けられているプラグコネクタ４５と接続される。
【００２９】
また、２つの制御用コネクタ５０１、５０２の各々に、制御信号を伝送するための信号ケーブル５０３、５０４が電気的に接続される。一方の制御用コネクタ５０１と電気的に接続される信号ケーブル５０３は、回路基板５０の左側に引き出されている。他方の制御用コネクタ５０２と電気的に接続される信号ケーブル５０４は、回路基板５０の右側に引き出されている。一方の信号ケーブル５０３の先端には第１信号コネクタ５０５が電気的に接続されている。他方の信号ケーブル５０４の先端には第２信号コネクタ５０６が電気的に接続されている。また、第１信号コネクタ５０５であるレセプタクルコネクタは、第２信号コネクタ５０６であるプラグコネクタと接続可能に構成されている。
【００３０】
筐体６は、長尺の底壁６０と、底壁６０の長手方向に沿った上端及び下端から前方へ突出する一対の側壁６１とを有する角樋状に形成されている（図１０参照）。なお、筐体６は、ポリカーボネート樹脂などの合成樹脂の押出成形体である。
【００３１】
各側壁６１の外側面には内側に凹んだ凹所６１０が形成されている（図８及び図１０参照）。
【００３２】
各側壁６１には被係合部６２がそれぞれ設けられている。被係合部６２は、長尺の矩形平板状であって、凹所６１０の後端から前方に向かって凹所６１０の底面と平行に突出するように形成されている（図８参照）。
【００３３】
各側壁６１には、係合溝６３と係合突部６４がそれぞれ設けられている。係合溝６３は、側壁６１の内側面の後端部分において、側壁６１の長手方向（左右方向）の全長にわたって上下方向に凹むように形成されている（図８及び図１０参照）。
【００３４】
係合突部６４は、側壁６１の内側面の前端部分において、側壁６１の長手方向（左右方向）の全長にわたって上下方向に突出するように形成されている（図８及び図１０参照）。なお、図示は省略しているが、底壁６０の長手方向（左右方向）の両端寄りの位置に円形のねじ挿通孔がそれぞれ１つずつ貫通している。
【００３５】
カバー７は、前方から見た形状が長方形状であるカバー本体７０と、カバー本体７０の一対の長辺の各々から後方へ突出する一対の脚部７１とを有している（図１０参照）。カバー本体７０と一対の脚部７１とは、例えば、ポリカーボネート樹脂などの合成樹脂の押出成形によって一体に形成されている。
【００３６】
カバー本体７０は、前方に向かって弧状に湾曲している。カバー本体７０は、ＬＥＤモジュール４から放射される光を透過及び拡散させるように構成されている（図９参照）。
【００３７】
一対の脚部７１の各々は、長尺の板状に形成されている。各脚部７１は、保持部７２及び引掛部７３を有している（図１０参照）。
【００３８】
保持部７２は、脚部７１の内側面における前端部分において、脚部７１の長手方向（左右方向）の全長にわたって上下方向に突出する一対の突片７２０を有している。一対の突片７２０は、前後方向に間隔を空けて対向している。保持部７２は、一対の突片７２０の間にＬＥＤ基板４１の端部を挟み込むようにしてＬＥＤモジュール４を保持する（図８参照）。
【００３９】
引掛部７３は、長尺の三角柱状に形成されている。引掛部７３は、脚部７１の外側面における後端部分において、脚部７１の長手方向の全長にわたって上下方向に突出している（図８及び図１０参照）。引掛部７３は、筐体６の側壁６１に設けられている係合突部６４に後方から引っ掛かる（図８参照）。
【００４０】
２つのエンド部材８はほぼ同じ構造を有している（図１０参照）。なお、以下の説明においては、カバー７の左側に配置されるエンド部材８を第１のエンド部材８Ａと呼び、カバー７の右側に配置されるエンド部材８を第２のエンド部材８Ｂと呼ぶ場合がある。
【００４１】
エンド部材８は、第１エンド部８１、第２エンド部８２、連結部８３を有している。エンド部材８は、更に、底板部８４、一対の側板部８５、一対の突部８６を有している。なお、エンド部材８は、ポリブチレンテレフタレート樹脂などの合成樹脂の成形体で構成されている。
【００４２】
第１エンド部８１は、おおよそ半円板状に形成されている（図５及び図６参照）。第１エンド部８１の内側面（カバー７と対向する側の面）に弧状のリブ８１０が設けられている（図８参照）。
【００４３】
第２エンド部８２は、おおよそ四角形の平板状に形成されている（図５及び図６参照）。第２エンド部８２の外側（第１エンド部８１と対向する側）の側面にボス８２０が形成されている。ボス８２０は、軸方向が前後方向と平行となる略半円筒形状に形成されている。ボス８２０の後面に開口が設けられている。ボス８２０の開口からタッピンねじがねじ込まれる。つまり、ボス８２０の後面に、後述する紐保持金具８２２がねじ止めされる。
【００４４】
第１のエンド部材８Ａの第２エンド部８２には、第２電源コネクタ５６が取り付けられている（図７参照）。また、第１のエンド部材８Ａの第２エンド部８２には、信号ケーブル５０３が取り付けられている（図５参照）。信号ケーブル５０３は、第２エンド部８２を貫通した状態で第２エンド部８２に取り付けられている。
【００４５】
第２のエンド部材８Ｂの第２エンド部８２には、第１電源線５２及び信号ケーブル５０４が取り付けられている（図６及び図７参照）。第１電源線５２及び信号ケーブル５０４は、第２エンド部８２を貫通した状態で第２エンド部８２に取り付けられている。ただし、第１電源線５２及び信号ケーブル５０４には張力止め５７が取り付けられている（図７参照）。
【００４６】
連結部８３は、前後方向から見た形状が長方形である底面部８３０と、底面部８３０の上下両端からそれぞれ前方へ突出する一対の側面部８３１とを有している（図１０参照）。底面部８３０及び一対の側面部８３１の長手方向の一方の端部に第１エンド部８１が連結され、底面部８３０及び一対の側面部８３１の長手方向の他方の端部に第２エンド部８２が連結されている（図７及び図１０参照）。
【００４７】
底面部８３０は、各側面部８３１から底板部８４の上下方向の中央に向かうにつれて階段状に前方へ突出するように形成されている（図１０参照）。
【００４８】
各側面部８３１の長手方向の端部のうち第１エンド部８１と反対側の端部に、それぞれ突部８６が設けられている。各突部８６は、概ね矩形平板状に形成され、対応する側面部８３１の端部から側面部８３１と平行に突出している。なお、各突部８６の後端部分は、内側（上側の突部８６の下側、下側の突部８６の上側）に向かって湾曲している（図８参照）。
【００４９】
エンド部材８の底板部８４は矩形平板状に形成されている。底板部８４は、第２エンド部８２の側面から連結部８３と反対の側に突出している（図１０参照）。底板部８４の前面における先端部分には、１つのねじ止め部８４０及び２つの突起８４１が前方へ突出するように設けられている（図１０参照）。
【００５０】
ねじ止め部８４０は、底板部８４の後面に開口を有する有底円筒形状に形成されている。ねじ止め部８４０は、底板部８４の前面における短手方向（上下方向）のほぼ中央に配置されている。ねじ止め部８４０の内周面には、底板部８４の後面の開口からねじ込まれるタッピンねじ（固定ねじ８００）によってねじ溝が形成される。
【００５１】
２つの突起８４１は、底板部８４の前面における短手方向の両端に配置されている。各突起８４１は、角柱状に形成されている（図１０参照）。
【００５２】
一対の側板部８５は、底板部８４の前面における短手方向（上下方向）の両端から前方へ突出している。各側板部８５は、矩形平板状に形成されている。また、各側板部８５の外側面に係合突起８５０が設けられている。係合突起８５０は、側板部８５の外側面における後端部分から側板部８５の長手方向（左右方向）の全長にわたって直線状に突出している（図１０参照）。
【００５３】
ここで、光源ユニット３において、２つのＬＥＤモジュール４（４Ａ、４Ｂ）を収容している部分、すなわち、カバー７と、２つのエンド部材８の各々の第１エンド部８１及び連結部８３とで構成される部分を第１収容部と呼ぶ。また、光源ユニット３において、点灯装置５を収容している部分、すなわち、筐体６と、２つのエンド部材８とで構成される部分を第２収容部と呼ぶ。そして、光源ユニット３においては、第１収容部の長手方向の両端部が第２収容部の長手方向の両端よりも外側に突出している（図７及び図９参照）。また、第１配線部（第１電源線５２）及び第２配線部（第２電源線５５）は、前方から見て第１収容部の両端部に隠れる位置に配置されている。
【００５４】
第１及び第２のＬＥＤモジュール４Ａ、４Ｂの長手方向の端部（ＬＥＤ基板４１の端部）が、第２収容部の長手方向の両端よりも外側に突出した部分、具体的にはエンド部材８の連結部８３の底面部８３０に配置されている。このように連結部８３の底面部８３０がＬＥＤモジュール４のＬＥＤ基板４１に接触しているため、温度上昇等に伴うＬＥＤ基板４１の反りを抑制することができる。
【００５５】
ところで、光源ユニット３において、カバー７を形成する材料（ポリカーボネート樹脂）とエンド部材８を形成する材料（ＰＢＴ樹脂）とが異なり、かつ、カバー７の長手方向の寸法がエンド部材８の長手方向の寸法よりもかなり大きく（長く）なっている。そのため、光源ユニット３では、ＬＥＤモジュール４の点灯中におけるカバー７の膨張量がエンド部材８の膨張量よりも大きくなると考えられる。したがって、ＬＥＤモジュール４が消灯している状態で第１エンド部８１とカバー７の端部とが接触していると、ＬＥＤモジュール４の点灯中にカバー７が膨張したときにカバー７と第１エンド部８１に過大な応力が生じる可能性がある。
【００５６】
そこで、光源ユニット３においては、常温において第１エンド部８１とカバー７の端部との間に僅かな隙間（例えば、１ｍｍ〜２ｍｍ）が空くようにカバー７の寸法等が設計されている。そのため、ＬＥＤモジュール４の点灯中にカバー７が熱膨張しても第１エンド部８１にカバー７の端部が接触し難くなるので、カバー７と第１エンド部８１に過大な応力が生じる可能性を大きく下げることができる。ただし、カバー７の端部と第１エンド部８１の間に隙間が存在すると、塵埃や虫などの異物が隙間を通して光源ユニット３内（カバー７とＬＥＤモジュール４に囲まれた空間内）に侵入するおそれがある。
【００５７】
そのため、光源ユニット３においては、各エンド部材８Ａ、８Ｂの第１エンド部８１とカバー７の両端部との間に、それぞれシール部３０が配置されている（図８及び図１０）。シール部３０は、例えば、シリコーンゴムによって略半円環状に形成されている（図１０参照）。シール部３０は、第１エンド部８１とカバー７に密着することで第１エンド部８１とカバー７の隙間をシールしている（図８参照）。シール部３０が第１エンド部８１とカバー７の隙間をシールすることにより、光源ユニット３内への異物の侵入を抑えつつ、熱膨張時にカバー７の端部と第１エンド部８１に生じる応力を低減することができる。
【００５８】
また、光源ユニット３においては、第１エンド部８１から長手方向に沿って突出し、かつ、筐体６の側面（側壁６１の外側面）に対向する突部８６が各エンド部材８に設けられている。すなわち、光源ユニット３では、各エンド部材８に設けられている突部８６が筐体６の長手方向の端部を支えることにより、光源ユニット３の捩れを抑制することができる。
【００５９】
器具本体２は、図１に示すように、本体部２０と、一対の支持部材２１とを備えている。本体部２０は、亜鉛鋼板などの金属板によって角樋状に形成されている。本体部２０は、長尺の矩形平板状に形成された底部２００と、底部２００の長手方向（左右方向）に沿った両端（上端及び下端）からそれぞれ前方へ突出する一対の側部２０１とを有している。
【００６０】
底部２００は、一対のかん合部２０２と、一対の連結部２０５と、一対の取付孔２０６と、複数の突部２０７とを有している。
【００６１】
かん合部２０２は、３つのかん合孔（第１かん合孔２０２Ａ、第２かん合孔２０２Ｂ、第３かん合孔２０２Ｃ）を有している。第１かん合孔２０２Ａと第２かん合孔２０２Ｂは同一寸法の角孔であり、第３かん合孔２０２Ｃは第１かん合孔２０２Ａ及び第２かん合孔２０２Ｂよりも小さい角孔である。第１かん合孔２０２Ａと第３かん合孔２０２Ｃと第２かん合孔２０２Ｂは、底部２００の長手方向に沿って一列に並ぶように配置されている。つまり、第１かん合孔２０２Ａと第２かん合孔２０２Ｂの間に第３かん合孔２０２Ｃが配置されている。
【００６２】
連結部２０５は、底部２００の長手方向の一端（左端）と他端（右端）にそれぞれ１つずつ設けられている。左側の連結部２０５は、底部２００の左端において、底部２００の短手方向（上下方向）の中央より上の範囲全体から外側（左側）に突出する矩形平板状に形成されている。一方、右側の連結部２０５は、底部２００の右端において、底部２００の短手方向の中央より下の範囲全体から外側（右側）に突出する矩形平板状に形成されている。
【００６３】
取付孔２０６は、底部２００の左端及び右端にそれぞれ１つずつ設けられている。取付孔２０６は長孔である。各取付孔２０６は、長軸の方向を底部２００の長手方向に一致させるように底部２００を貫通している。
【００６４】
複数の突部２０７は、底部２００の左端及び右端にそれぞれ２つずつの計４つ設けられている。各突部２０７は、底部２００の左端及び右端において、取付孔２０６の上下両側から後方に向かって突出するドーム状に形成されている（図１及び図３〜図６参照）。
【００６５】
各側部２０１は、一対の開口部２０３と、一対の規制部２０４とを有している（図１参照）。
【００６６】
開口部２０３は、側部２０１の左端及び右端における前端部分に１つずつ設けられている。各開口部２０３は、上下方向から見た外形形状が長方形である溝状に形成されている。なお、各開口部２０３は、本体部２０の長手方向において第２かん合孔２０２Ｂと第３かん合孔２０２Ｃとほぼ同じ位置に配置されている。
【００６７】
規制部２０４は、側部２０１において開口部２０３の３つの辺（縁）から側部２０１の外側に突出する３つの突片２０４１と、３つの突片２０４１の先端と繋がった規制片２０４０とを有している。規制片２０４０は、長方形の平板状に形成されている。なお、規制部２０４（規制片２０４０及び３つの突片２０４１）は、側部２０１を構成している金属板が絞り加工されることによって側部２０１と一体に形成されることが好ましい。
【００６８】
一対の側部２０１の長手方向の両端部分に挿通部２２が１つずつ設けられている（図１参照）。これらの挿通部２２は、側部２０１を側部２０１の厚み方向（上下方向）に貫通する円形の貫通孔である。また、各挿通部２２にはケーブルブッシュ２３が嵌め込まれている。ケーブルブッシュ２３は、合成樹脂材料によって円環状に形成されている。ケーブルブッシュ２３は、挿通部２２に嵌め込まれた状態で側部２０１における挿通部２２の縁を覆っている。つまり、後述するように挿通部２２に第１電源線５２（あるいは、第１電源線５２と信号ケーブル５０３）が挿通されている場合に、側部２０１における挿通部２２の縁に残ったバリなどの突起によって第１電源線５２（あるいは、第１電源線５２と信号ケーブル５０３）の被覆に傷が付くことを抑制できる。ただし、ケーブルブッシュ２３が嵌め込まれる代わりに、側部２０１における挿通部２２の縁が挿通部２２の全周に渡って曲げ加工されてもかまわない。側部２０１における挿通部２２の縁が曲げ起こされることにより、側部２０１における挿通部２２の縁が第１電源線５２に近付く向きに突き出す曲面となるので、挿通部２２に挿通されている第１電源線５２の被覆に傷が付くことを抑制できる。
【００６９】
支持部材２１は、筐体６の側壁６１に設けられた被係合部６２と係合する一対の係合部２１０と、各係合部２１０を側壁６１の外側面と接離する方向（上下方向）に変位させる変位部２１１とを有している。また、支持部材２１は、係合部２１０が被係合部６２と係合する向きに筐体６を押すばね部２１２と、本体部２０に設けられたかん合部２０２とかん合するかん合部２１３とを有している。さらに、支持部材２１は、矩形平板状の板部２１４を有している。なお、支持部材２１が有する一対の係合部２１０、一対の変位部２１１、ばね部２１２、かん合部２１３並びに板部２１４は、ステンレス鋼板などの金属板が打ち抜き加工及び曲げ加工されることによって一体に形成されている。
【００７０】
一対の変位部２１１は、板部２１４の上端と下端からそれぞれ１つずつ突出している。各変位部２１１は、板部２１４の上端又は下端から斜め前方へ突出する第１変位片２１１Ａと、第１変位片２１１Ａの先端から前方へ突出する第２変位片２１１Ｂとを有している。板部２１４の上端から突出する変位部２１１は上向きに撓むように変位し、板部２１４の下端から突出する変位部２１１は下向きに撓むように変位する。
【００７１】
一対の係合部２１０は、左右方向から見て略Ｕ字状に形成されている。各係合部２１０は、一対の変位部２１１のうちの対応する変位部２１１の第２変位片２１１Ｂの先端（前端）から後方へＵターンするように突出している（図１２参照）。
【００７２】
ばね部２１２は、前方から見て略Ｃ字状に形成されている（図１０参照）。ばね部２１２は、板部２１４の左右方向の端から板部２１４と離れる向きに突出している。ばね部２１２の両腕は、板部２１４から離れるにつれて徐々に前方へ突出するように湾曲している。ばね部２１２の両腕を繋いでいるばね部２１２の先端部分は、前方に向かって緩やかに突出している。なお、ばね部２１２の先端部分は、筐体６を押圧する押圧面２１２０と、押圧面２１２０から離れるにつれて筐体６との距離を大きくするように湾曲した曲面２１２１とを有している（図７参照）。
【００７３】
かん合部２１３は、第１かん合片２１３１と、第２かん合片２１３２と、第３かん合片２１３３と、第４かん合片２１３４と、かん合爪２１３５とを有している（図１参照）。ただし、第１かん合片２１３１、第２かん合片２１３２、第３かん合片２１３３、第４かん合片２１３４並びにかん合爪２１３５は、板部２１４に対して切り起こしなどの加工が施されることによって板部２１４と一体に形成されている。
【００７４】
第１かん合片２１３１は、板部２１４の中央部分を後方へ切り起こすようにして鉤形に形成されている。かん合爪２１３５は、第１かん合片２１３１の一部を前方へ切り起こすようにして矩形平板状に形成されている。
【００７５】
第２かん合片２１３２、第３かん合片２１３３並びに第４かん合片２１３４は、板部２１４の左右方向の端のうち、ばね部２１２と反対側の端に設けられている。第２かん合片２１３２は、板部２１４の端における上下方向の中央部分を後方へ切り起こすようにして鉤形に形成されている。第３かん合片２１３３は、板部２１４の端における第２かん合片２１３２の上側の部分で構成されている。第４かん合片２１３４は、板部２１４の端における第２かん合片２１３２の下側の部分で構成されている。第３かん合片２１３３及び第４かん合片２１３４のそれぞれの先端部分が前方へ曲げ起こされている。
【００７６】
支持部材２１は、以下のような手順で本体部２０に固定される。支持部材２１の第１かん合片２１３１が本体部２０の第１かん合孔２０２Ａに前方から挿入され、支持部材２１の第２かん合片２１３２が本体部２０の第２かん合孔２０２Ｂに前方から挿入される。そして、支持部材２１が本体部２０の底部２００と平行に移動させられると、第１かん合片２１３１から切り起こされているかん合爪２１３５が本体部２０の第３かん合孔２０２Ｃに後方から挿入される。また、支持部材２１が本体部２０の底部２００と平行に移動させられると、第２かん合片２１３２が第２かん合孔２０２Ｂの側方へ移動して底部２００の後面に接触する。つまり、支持部材２１は、かん合爪２１３５を第３かん合孔２０２Ｃにかん合させることで底部２００に対する移動を規制し、かつ、第２かん合片２１３２と第３かん合片２１３３及び第４かん合片２１３４とで底部２００を挟むことによって本体部２０に固定される。なお、本体部２０に支持部材２１が固定された状態においては、支持部材２１の係合部２１０及び第２変位片２１１Ｂが、本体部２０の側部２０１の開口部２０３と上下方向において対向している。
【００７７】
次に、照明器具１を造営材に取り付ける取付作業の手順を説明する。
【００７８】
取付作業を行う作業者は、始めに造営材（例えば、壁）に器具本体２を取り付ける。作業者は、本体部２０の一対の取付孔２０６に木ねじなどの取付ねじを挿通して本体部２０を壁にねじ止めする。
【００７９】
続いて、作業者は、光源ユニット３の筐体６を前方から本体部２０に挿入する。作業者は、筐体６の後端における上下両端部分で支持部材２１の係合部２１０を押すことにより、支持部材２１の一対の変位部２１１を外向きに撓ませる。そして、変位部２１１の第２変位片２１１Ｂと係合部２１０は、側部２０１の開口部２０３を通過して側部２０１の外に変位する。ただし、第２変位片２１１Ｂと係合部２１０の変位は規制部２０４（規制片２０４０）によって規制される。
【００８０】
作業者は、光源ユニット３の筐体６の後面に支持部材２１のばね部２１２の押圧面２１２０が接触した後もばね部２１２のばね力（押圧力）に抗して本体部２０に筐体６を挿入する。そして、支持部材２１の係合部２１０が側壁６１の凹所６１０に到達すると、撓んでいた変位部２１１が元の状態に戻る。そして、作業者が光源ユニット３から手を離すと、ばね部２１２に押された筐体６が前方へ移動し、支持部材２１の係合部２１０が筐体６の被係合部６２と係合する。このようにして、作業者は筐体６を一対の支持部材２１に支持させて光源ユニット３を本体部２０に取り付ける。
【００８１】
上述のように作業者は、ドライバなどの工具を使わずに器具本体２に光源ユニット３を取り付けることができる。そのため、照明器具１は、取付作業に要する作業時間の短縮を図ることができる。
【００８２】
ここで、器具本体２の一対の側部２０１は、前方から見て、第１配線部（第１電源線５２）及び第２配線部（第２電源線５５）を第１収容部の外にはみ出させないように規制している。つまり、照明器具１が設置された状態においては、器具本体２の本体部２０の外に第１配線部及び第２配線部がはみ出さないので、第１配線部及び第２配線部を覆い隠すための部材等が照明器具１には不要である。ゆえに、照明器具１は、特許文献１記載の従来例等と比較して、施工作業の作業性の向上を図ることができる。
【００８３】
ところで、被係合部６２は、側壁６１の長手方向の全長にわたって設けられており、筐体６の長手方向において係合部２１０よりも幅広に形成されている。そのため、係合部２１０と被係合部６２とは、側壁６１の長手方向に沿って互いに移動可能に係合している。つまり、光源ユニット３の筐体６は、器具本体２に対して、器具本体２の本体部２０の長手方向に沿って移動可能に支持部材２１に支持されている。このように筐体６が本体部２０の長手方向に沿って移動可能に支持部材２１に支持されているため、筐体６が熱膨張した場合に支持部材２１から筐体６に過大な応力が印加されることを防ぐことができる。ただし、光源ユニット３の筐体６の移動範囲（被係合部６２に対する係合部２１０の移動範囲）は、係合部２１０がエンド部材８の第２エンド部８２に接触しない範囲に限られる。
【００８４】
ところで、照明器具１（以下、第１の照明器具１Ａと呼ぶ。）は、第２の照明器具１Ｂと連結して造営材に設置される。第２の照明器具１Ｂは、光源ユニット３と、一対の側部２０１に挿通部２２が設けられていない器具本体２（２Ｂ）とを有している。ただし、第２の照明器具１Ｂの構成は、器具本体２Ｂに挿通部２２が設けられていない点を除いて第１の照明器具１Ａの構成と共通である。
【００８５】
第１の照明器具１Ａは、複数の第２の照明器具１Ｂが長手方向に沿って一列に並べて配置される場合において、第１の外部電源から給電される第２の照明器具１Ｂと第２の外部電源から給電される別の第２の照明器具１Ｂの間に配置される。なお、第１の外部電源は、例えば、分電盤の複数の分岐回路のうちの一つの分岐回路であり、第２の外部電源は、分電盤の複数の分岐回路のうちの別の一つの分岐回路である。すなわち、一つの分岐回路から供給可能な電力には上限値が存在するので、一つの分岐回路に対して電気的に接続可能な照明器具１の台数にも上限がある。そのため、一列に並べて設置されている複数の照明器具１の台数が上限を超えるおそれがある場合、これら複数の照明器具１に対して複数の分岐回路から別々に給電される。
【００８６】
図１３に示すように、第１の照明器具１Ａの長手方向の一方の側（右側）と他方の側（左側）にそれぞれ第２の照明器具１Ｂが設置されている場合を想定する。右側の第２の照明器具１Ｂ（１ＢＲ）及び中央の第１の照明器具１Ａは、共通の一つの分岐回路（外部電源）から給電されている。一方、左側の第２の照明器具１Ｂ（１ＢＬ）は、別の一つの分岐回路から給電されている。
【００８７】
まず、一つの同じ分岐回路（外部電源）から給電されている２台の照明器具（第１の照明器具１Ａと、第１の照明器具１Ａの右側の第２の照明器具１ＢＲ）について説明する。第１の照明器具１Ａの器具本体２と第２の照明器具１ＢＲの器具本体２Ｂは、各々の器具本体２、２Ｂの本体部２０に設けられている連結部２０５によって連結される。本体部２０の長手方向の両端に設けられている連結部２０５は、本体部２０の長手方向に沿った中心線に対して対称である。そのため、各本体部２０の連結部２０５同士が上下方向及び左右方向にかん合することにより、２つの器具本体２、２Ｂ同士を長手方向に沿って一列に並ぶように互いに機械的に連結させることができる。
【００８８】
そして、壁に固定された各々の器具本体２、２Ｂに、第１の照明器具１Ａ及び第２の照明器具１ＢＲのそれぞれの光源ユニット３が取り付けられる。この場合、第２の照明器具１ＢＲの第２電源コネクタ５６と、第１の照明器具１Ａの第１電源コネクタ５３とが電気的に接続される（図１５）。つまり、第１の照明器具１Ａ及び第２の照明器具１ＢＲには、電源線の送り配線によって一つの分岐回路（外部電源）から交流電力が供給される。また、第１の照明器具１Ａの第２信号コネクタ５０６と、第２の照明器具１ＢＲの第１信号コネクタ５０５とが電気的に接続される。つまり、２台の照明器具１Ａ、１ＢＲには信号線の送り配線によって制御信号が伝送される。
【００８９】
ここで、光源ユニット３の長手方向の両端においては、カバー７の端部及びエンド部材８の一部が筐体６よりも外側にはみ出している。さらに、筐体６の長手方向の両端の外側には、本体部２０の側部２０１が配置されている。つまり、互いに電気的に接続されている第１電源コネクタ５３と第２電源コネクタ５６、及び互いに電気的に接続されている第１信号コネクタ５０５と第２信号コネクタ５０６の上下方向への移動範囲が一対の側部２０１によって規制される。そのため、前方から見たときに、第１電源コネクタ５３、第２電源コネクタ５６、第１信号コネクタ５０５並びに第２信号コネクタ５０６が器具本体２の外にはみ出さず、照明器具１の外観品質の向上を図ることができる。
【００９０】
別の分岐回路（外部電源）から給電される第２の照明器具１ＢＬは、第１の照明器具１Ａの器具本体２の左側の連結部２０５によって第１の照明器具１Ａと連結される。ここで、第２の照明器具１ＢＬの第１電源線５２は、連結部２０５によって連結された第１の照明器具１Ａの器具本体２の器具本体２内に収容された後、第１の照明器具１Ａの挿通部２２に挿通されて第１の照明器具１Ａの器具本体２の外に引き出される。第２の照明器具１ＢＬの第１電源線５２は、挿通部２２を通して第１の照明器具１Ａの器具本体２の外に引き出された後、別の分岐回路（外部電源）と電気的に接続される。なお、側部２０１における挿通部２２の位置が底部２００に近いほど、挿通部２２に通される第１電源線５２と光源ユニット３が干渉しにくくなる。
【００９１】
ここで、実施形態の照明器具１（第１の照明器具１Ａ）の施工方法について、図１６を参照して説明する。
【００９２】
施工作業を行う作業者は、第１の照明器具１Ａの本体部２０の一対の取付孔２０６に木ねじなどの取付ねじを挿通して本体部２０を造営材（例えば、壁）にねじ止めする（第１工程）。続いて、作業者は、第２の照明器具１ＢＬの本体部２０の一対の取付孔２０６に木ねじなどの取付ねじを挿通して本体部２０を造営材（例えば、壁）にねじ止めする。このとき、作業者は、第２の照明器具１ＢＬの本体部２０の右側の連結部２０５を第１の照明器具１Ａの本体部２０の左側の連結部２０５と連結させる（図１６Ａ参照）。
【００９３】
次に、作業者は、第２の照明器具１ＢＬの光源ユニット３の第１電源線５２を、第１の照明器具１Ａの器具本体２に収容した後、第１の照明器具１Ａの挿通部２２に挿通して第１の照明器具１Ａの器具本体２の外に引き出す（第２工程）。なお、作業者は、第２の照明器具１ＢＬの光源ユニット３の信号ケーブル（不図示）も、第１の照明器具１Ａの器具本体２に収容した後、第１の照明器具１Ａの挿通部２２に挿通して第１の照明器具１Ａの器具本体２の外に引き出す。さらに、作業者は、第２の照明器具１ＢＬの光源ユニット３を第２の照明器具１ＢＬの器具本体２Ｂに取り付ける（図１６Ｂ参照）。
【００９４】
最後に、作業者は、第１の照明器具１Ａの器具本体２に第１の照明器具１Ａの光源ユニット４を取り付ける（第３工程）。このようにして照明器具の施工作業が完了する（図１６Ｃ及び図１７参照）。ただし、上述した各工程の順序は一例であり、いくつかの工程の順序を入れ替えてもかまわない。
【００９５】
上述のように、照明器具１の器具本体２の側部２０１は、前方から見て筐体６よりも外側の位置に挿通部２２を有している。そのため、隣り合って設置される照明器具（第２の照明器具１ＢＬ）の電線（第１電源線５２）を器具本体２の本体部２０内から側部２０１の挿通部２２を通して本体部２０の外に引き出すことができる（図１７参照）。したがって、照明器具１は、別の照明器具（第２の照明器具１ＢＬ）の電線（第１電源線５２）を光源ユニット４で隠しつつ外部の電源に接続させることにより、施工作業の作業性の向上を図ることができる。
【００９６】
ただし、照明器具１においては、自らの光源ユニット４の第１電源線５２が、器具本体２の本体部２０の挿通部２２に挿通されて本体部２０の外に引き出されて外部の電源と電気的に接続されてもかまわない。
【００９７】
また、挿通部２２は貫通孔に限定されない。例えば、挿通部２２は、側部２０１がＵ字形状又はＬ字形状に切り欠かれて形成されてもかまわない。図１８に照明器具１の変形例を示す。変形例においては、第１の照明器具１Ａの器具本体２の側部２０１及び第２の照明器具１ＢＬの器具本体２Ｂの側部２０１のそれぞれがＬ字形状に切り欠かれることで挿通部２２が設けられている。このように２台の器具本体２、２Ｂのそれぞれに挿通部２２が設けられ、かつ、それらの挿通部２２が隣り合って並べられることにより、第１電源線５２を含む複数の電線を容易に本体部２０の外に引き出すことができる。さらに、挿通部２２は、一対の側部２０１のうちの一方の側部２０１のみに設けられてもよいし、側部２０１の長手方向の片側の端部にのみ設けられてもよい。
【００９８】
上述のように本発明の第１の態様に係る照明器具（１）は、照明装置（光源ユニット３）と、照明装置（光源ユニット３）を支持する器具本体（２）とを有している。器具本体（２）は、造営材に固定される板状の底部（２００）と、底部（２００）から前方へ突出する一対の側部（２０１）とを有している。一対の側部（２０１）のうちの少なくとも一つの側部（２０１）は、電線（第１電源線５２）を通すことが可能な挿通部（２２）を有している。
【００９９】
第１の態様に係る照明器具（１）は、隣り合って設置される照明器具（第２の照明器具１ＢＬ）の電線（第１電源線５２）を器具本体（２）内から側部（２０１）の挿通部（２２）を通して器具本体（２）の外に引き出すことができる。したがって、照明器具（１）は、別の照明器具（第２の照明器具１ＢＬ）の電線（第１電源線５２）を照明装置（光源ユニット４）で隠しつつ外部の電源に接続させることにより、施工作業の作業性の向上を図ることができる。
【０１００】
本発明の第２の態様に係る照明器具（１）は、第１の態様との組合せにより実現され得る。第２の態様に係る照明器具（１）において、挿通部（２２）は、側部（２０１）を側部（２０１）の厚み方向に貫通する貫通孔であることが好ましい。
【０１０１】
第２の態様に係る照明器具（１）は、側部（２０１）を側部（２０１）の厚み方向に貫通する貫通孔を挿通部（２２）としているので、挿通部（２２）を設けることによる側部（２０１）の強度低下を抑制することができる。
【０１０２】
本発明の第３の態様に係る照明器具（１）は、第１又は第２の態様との組合せにより実現され得る。第３の態様に係る照明器具（１）において、側部（２０１）における挿通部（２２）に取り付けられて挿通部（２２）の縁を覆う部材（ケーブルブッシュ２３）を、更に有していることが好ましい。
【０１０３】
第３の態様に係る照明器具（１）は、挿通部（２２）の縁が部材（ケーブルブッシュ２３）で覆われているので、挿通部（２２）の縁で電線に傷が付くことを抑制することができる。
【０１０４】
本発明の第４の態様に係る照明器具（１）は、第１又は第２の態様との組合せにより実現され得る。第４の態様に係る照明器具（１）において、側部（２０１）における挿通部（２２）の縁が、挿通部（２２）に挿通されている電線（第１電源線５２）に近付く向きに突き出す曲面であることが好ましい。
【０１０５】
第４の態様に係る照明器具（１）は、挿通部（２２）の縁で電線に傷が付くことを抑制することができる。
【０１０６】
本発明の第５の態様に係る照明器具（１）は、第１〜第４の態様のいずれか一つとの組合せにより実現され得る。第５の態様に係る照明器具（１）において、一対の側部（２０１）の両方が挿通部（２２）を有していることが好ましい。
【０１０７】
第５の態様に係る照明器具（１）は、電線を引き出す場所の選択肢を増やすことにより、施工作業の作業性の更なる向上を図ることができる。
【０１０８】
本発明の第６の態様に係る照明器具（１）は、第１〜第５の態様のいずれか一つとの組合せにより実現され得る。第６の態様に係る照明器具（１）において、照明装置（光源ユニット３）は、光源（ＬＥＤモジュール４）と、光源（ＬＥＤモジュール４）を点灯させる点灯装置（５）とを備えることが好ましい。照明装置（光源ユニット３）は、光源（ＬＥＤモジュール４）を収容し、光源（ＬＥＤモジュール４）から放射される光を光源（ＬＥＤモジュール４）の前方へ出射する第１収容部（カバー７）を備えることが好ましい。照明装置（光源ユニット３）は、光源（ＬＥＤモジュール４）の後方に配置されて点灯装置（５）を収容する第２収容部（筐体６）とを備えることが好ましい。第１収容部（カバー７）の端部が、光源（ＬＥＤモジュール４）の前方から見て第２収容部（筐体６）よりも外側に突出していることが好ましい。
【０１０９】
第６の態様に係る照明器具（１）は、隣り合って設置される照明器具（第２の照明器具１ＢＬ）の電線（第１電源線５２）を照明装置（光源ユニット３）で隠すことができる。
【０１１０】
本発明の第７の態様に係る照明器具（１）は、第６の態様との組合せにより実現され得る。第７の態様に係る照明器具（１）において、側部（２０１）は、光源（ＬＥＤモジュール４）の前方から見て第２収容部（筐体６）よりも外側の位置に挿通部（２２）を有していることが好ましい。
【０１１１】
第７の態様に係る照明器具（１）は、電線（第１電源線５２）と第２収容部（筐体６）との干渉を避けることができる。
【０１１２】
本発明の第８の態様に係る照明器具の施工方法は、第１〜第７の態様のいずれか一つとの照明器具である第１の照明器具（１Ａ）と、照明装置（光源ユニット３）及び照明装置（光源ユニット３）を支持する器具本体（２Ｂ）を有する第２の照明器具（１ＢＬ）とを連結して造営材に取り付ける施工方法である。第８の態様に係る照明器具の施工方法は、第１の照明器具（１Ａ）の器具本体（２）の底部（２００）を造営材に固定する工程を含む。第８の態様に係る照明器具の施工方法は、第２の照明器具（１ＢＬ）の器具本体（２Ｂ）を第１の照明器具（１Ａ）の器具本体（２）に連結させた状態で造営材に固定する工程を含む。第８の態様に係る照明器具の施工方法は、第２の照明器具（１ＢＬ）に給電するための電線（第１電源線５２）を、第１の照明器具（１Ａ）の挿通部（２２）に通す工程を含む。第８の態様に係る照明器具の施工方法は、第１の照明器具（１Ａ）の照明装置（光源ユニット３）を第１の照明器具（１Ａ）の器具本体（２）に支持させる工程を含む。第８の態様に係る照明器具の施工方法は、第２の照明器具（１ＢＬ）の照明装置（光源ユニット３）を第２の照明器具（１ＢＬ）の器具本体（２Ｂ）に支持させる工程を含む。
【０１１３】
第８の態様に係る照明器具の施工方法は、第２の照明器具（１ＢＬ）の電線（第１電源線５２）を、隣り合って設置される第１の照明器具（１Ａ）の器具本体（２）内から側部（２０１）の挿通部（２２）を通して第１の照明器具（１Ａ）の器具本体（２）の外に引き出すことができる。したがって、第８の態様に係る照明器具の施工方法は、別の照明器具（第２の照明器具１ＢＬＬ）の電線（第１電源線５２）を外部の電源に接続させることにより、施工作業の作業性の向上を図ることができる。
【符号の説明】
【０１１４】
１  照明器具
１Ａ  第１の照明器具
１Ｂ、１ＢＲ、１ＢＬ  第２の照明器具
２  器具本体
３  光源ユニット（照明装置）
４  ＬＥＤモジュール（光源）
５  点灯装置
６  筐体（第２収容部）
７  カバー（第１収容部）
２２  挿通部
２３  ケーブルブッシュ（部材）
２００  底部
２０１  側部
【図１】
2019153473.tif 000003
【図２】
2019153473.tif 000004
【図３】
2019153473.tif 000005
【図４】
2019153473.tif 000006
【図５】
2019153473.tif 000007
【図６】
2019153473.tif 000008
【図７】
2019153473.tif 000009
【図８】
2019153473.tif 000010
【図９】
2019153473.tif 000011
【図１０】
2019153473.tif 000012
【図１１】
2019153473.tif 000013
【図１２】
2019153473.tif 000014
【図１３】
2019153473.tif 000015
【図１４】
2019153473.tif 000016
【図１５】
2019153473.tif 000017
【図１６】
2019153473.tif 000018
【図１７】
2019153473.tif 000019
【図１８】
2019153473.tif 000020